(57)【要約】      （修正有）【課題】靴紐連結具の一方の留め具本体と他方の留め具本体との内、何れか一方の留め具本体がその表裏が反転した状態で突き合わされていることが簡単に確認できるようにし、留め具本体個々が適正な状態で靴に取り付けられるようにする。【解決手段】第一留め具本体２と第二留め具本体３とが磁着により突き合わせ状態で分離可能に連結されていて、第一留め具本体２での突き合わせ面４側となるように、また第二留め具本体３での突き合わせ面５側となるようにそれぞれの留め具本体の内部に磁石組体が内設されている靴紐連結具において、第一留め具本体２と第二留め具本体３との表面それぞれに、目視可能な装飾１１ａ、１２ａを施してなる装飾面部１１、１２を設けた。【選択図】図１
0003207412.tif 000002
【実用新案登録請求の範囲】
【請求項１】
それぞれ靴紐通し孔を有する第一留め具本体と第二留め具本体とからなり、前記第一留め具本体と第二留め具本体とはそれぞれ複数の磁石を並べてなる磁石組体が内設されていて、第一留め具本体と第二留め具本体とが磁着により突き合わせ状態で分離可能に連結されている靴紐連結具において、
第一留め具本体と第二留め具本体との表面それぞれは、留め具本体の靴紐留め付け時での靴甲部とは反対側に位置して外方に臨む面であり、第一留め具本体と第二留め具本体との前記表面それぞれに、目視可能な装飾を施してなる装飾面部が設けられていることを特徴とする靴紐連結具。
【請求項２】
第一留め具本体の上記表面の装飾面部と第二留め具本体の上記表面の装飾面部とは、第一留め具本体の突き合わせ面と第二留め具本体の突き合わせ面とが相対する突き合わせ境界部を中心線として、互いに非線対称である請求項１に記載の靴紐連結具。
【請求項３】
第一留め具本体の上記表面の装飾面部と第二留め具本体の上記表面の装飾面部とは、第一留め具本体の突き合わせ面と第二留め具本体の突き合わせ面とが相対する突き合わせ境界部の中央を中心点として、互いに非点対称である請求項１に記載の靴紐連結具。
【考案の詳細な説明】
【技術分野】
【０００１】
本考案は靴紐の連結具に関するものである。
【背景技術】
【０００２】
従来から運動靴などの靴紐のある履物を履いだり脱いだりするときには、靴紐を緩めたり締めたりしているが、靴紐を緩めたり締めたりする労力を軽減するために、靴の靴紐通し孔に通した靴紐の端部側を結ばずにその終端側を束ねて保持する各種の用具が提案されている。また近年にあっては、特許文献１や特許文献２に示されているように、それぞれ靴紐通し孔を有する二つの留め具本体を対とした靴紐連結具が提案されている。
【０００３】
上記靴紐連結具にあっては、第一留め具本体と第二留め具本体とからなり、それぞれに磁石が埋め込みされていて、この第一留め具本体と第二留め具本体とは、磁着により突き合わせ面同士を突き合わせ状態にして分離可能に連結されている。
【０００４】
そして靴紐の一方の端部側を、靴甲部の一方の羽根の靴紐通し孔及び第一留め具本体の靴紐通し孔に通すことで、第一留め具本体を靴甲部の一方の羽根側に配し、靴紐の他方の端部側を、他方の羽根の靴紐通し孔及び第二留め具本体の靴紐通し孔に通すことで、第二留め具本体を他方の羽根側に配している。
【０００５】
靴紐を通した上記靴紐連結具は靴のタンの上に位置していて、靴を履いた状態から足の甲を靴内から少し上げるようにすれば、靴紐連結具全体を持ち上げる方向に力が作用する。
【０００６】
この靴紐連結具全体を持ち上げる力が作用した状態でも、第一留め具本体と第二留め具本体とのそれぞれが羽根側に靴紐で繋がっているので、磁着の力に抗して第一留め具本体と第二留め具本体とが突き合わせ部分で折れるようにして引き離されることになり、靴の甲部を開いて靴を脱ぐことができる。
【０００７】
また、靴を履く際には、第一留め具本体と第二留め具本体とが離れた状態のときに靴内に足を差し入れてから第一留め具本体と第二留め具本体とを磁着により連結させればよく、これによって靴紐連結具を含む靴甲部全体が閉じることとなり、靴の履き脱ぎが簡単に行える。
【先行技術文献】
【特許文献】
【０００８】
【特許文献１】実用新案登録第３２００７１８号公報
【特許文献２】国際公開第２０１５／１６８０５５号パンフレット
【考案の概要】
【考案が解決しようとする課題】
【０００９】
上述したように上記靴紐連結具では第一留め具本体と第二留め具本体とのそれぞれに磁石が埋め込まれていて、突き合わせ面同士を合わせて連結している。勿論、この場合、一方の留め具本体における他方の留め具本体の突き合わせ面側に臨む一つの磁極部（例えば単一のＮ極や複数のＮ極を連接した部分）と、他方の留め具本体における前記一方の留め具本体の突き合わせ面側に臨んでいて、一方の留め具本体の前記一つの磁極部と極性が異なる一つの磁極部（例えば単一のＳ極や複数のＳ極を連接した部分）とを相対させている。
【００１０】
また留め具本体それぞれにおいて、突き合わせ面の長手方向に沿って複数の磁極部を並べて、隣り合う磁極部の極性が異なる配置となるように複数の磁石を組み合わせた磁石組体が埋め込まれて、その磁石組体の突き合わせ面側に位置する磁極部の数を奇数としている。
【００１１】
このように磁極部の数を奇数とすることから、結果として、一方の留め具本体での突き合わせ面側の磁極部のＮ極の数とＳ極の数の組み合わせは、他方の留め具本体での突き合わせ面側のＮ極の数とＳ極の数の組み合わせに対して逆転したものとなる。
【００１２】
隣り合う磁極部の極性を異ならせて磁極部の数を奇数とする点は、一方の留め具本体を他方の留め具本体に磁着させた場合や留め具本体を鉄板などの磁性体に磁着させたときに、磁極部の磁束が磁着部位との間で有効に集中して磁束が大気に放散し難くなる磁気回路を形成し、磁着力が向上するメリットがある。
【００１３】
ところで上記靴紐連結具の留め具本体個々の外観は、一辺側に靴紐通し孔が二つ、あるいは三つ並んだ板状であってシンプルな形状であることから、靴甲部の羽根の通し孔と留め具本体の靴紐通し孔とに交互に靴紐を通すときに、誤って留め具本体の表裏を反転させて取り付けてしまう可能性があり、留め具本体の表裏が簡単に見分けできるようにすることが望まれている。
【００１４】
即ち、靴紐連結具の留め具本体それぞれでは磁極部が奇数とされていて、突き合わせ面の中央では一方の磁極部（Ｎ極）と他方の磁脚部（Ｓ極）とが磁着した状態であることから、この中央での磁着部分を軸中心にして一方の留め具本体が表裏反転する方向に１８０度で軸回りしても、留め具本体同士の磁着してしまう。そして、上述したように留め具本体個々がシンプルな形状であることから、片方の留め具本体が表裏反転している誤った磁着の状態で連結されていても、その誤りを判断し難く、誤った状態で留め具本体それぞれの取り付けが行われてしまう可能性があった。
【００１５】
また、靴紐連結具を用いるスニーカー類にあってはファッションアイテムの重要な要素であり、各種の色合いを持つ部材を組み合わせて制作されて装飾性が高められているため、近年においては靴紐連結具自体に装飾などを施して、靴紐を連結する機能の外にアクセサリーとしても利用できるようにしたいとの要望がある。
【００１６】
そこで本考案は、靴紐連結具の一方の留め具本体と他方の留め具本体との内、何れか一方の留め具本体がその表裏が反転した状態で突き合わされていることが簡単に確認できるようにし、留め具本体個々が適正な状態で靴に取り付けられるようにすることを目的とするものである。
【課題を解決するための手段】
【００１７】
（請求項１の考案）
本考案は上記課題を考慮してなされたもので、それぞれ靴紐通し孔を有する第一留め具本体と第二留め具本体とからなり、前記第一留め具本体と第二留め具本体とはそれぞれ複数の磁石を並べてなる磁石組体が内設されていて、第一留め具本体と第二留め具本体とが磁着により突き合わせ状態で分離可能に連結されている靴紐連結具において、
第一留め具本体と第二留め具本体との表面それぞれは、留め具本体の靴紐留め付け時での靴甲部とは反対側に位置して外方に臨む面であり、第一留め具本体と第二留め具本体との前記表面それぞれに、目視可能な装飾を施してなる装飾面部が設けられていることを特徴とする靴紐連結具を提供して、上記課題を解消するものである。
【００１８】
（請求項２の考案）
そして本考案は、第一留め具本体の上記表面の装飾面部と第二留め具本体の上記表面の装飾面部とは、第一留め具本体の突き合わせ面と第二留め具本体の突き合わせ面とが相対する突き合わせ境界部を中心線として、互いに非線対称であることが良好である。
【００１９】
（請求項３の考案）
また本考案は、第一留め具本体の上記表面の装飾面部と第二留め具本体の上記表面の装飾面部とは、第一留め具本体の突き合わせ面と第二留め具本体の突き合わせ面とが相対する突き合わせ境界部の中央を中心点として、互いに非点対称であることが良好である。
【考案の効果】
【００２０】
（請求項１の考案の効果）
請求項１の考案によれば、第一留め具本体と第二留め具本体との表面それぞれに、目視できる装飾面部が設けられているので、靴紐を通す前の靴紐連結具において、一方の留め具本体がその表裏を反転して他方の留め具本体と突き合っていれば、誤った突き合わせ状態であることが一目で把握でき、留め具本体それぞれを適正な向きにして靴紐を通すことができるという優れた効果を奏するものである。
【００２１】
（請求項２の考案の効果）
上述したように靴紐連結具は第一留め具本体と第二留め具本体とが磁着により突き合わせ状態で分離可能に連結されているものである。そしてこの靴紐連結具を製品として製造する場合には、一方の留め具本体は、極性Ｎ極の磁極部とこの極性Ｎ極の磁極部より磁極部数が一つ多い極性Ｓ極の磁極部とを構成した磁石組体を内設したものにする。当然、靴紐連結具での他方の留め具本体は、磁極部数が逆転するように、極性Ｓ極の磁極部とこの極性Ｓ極の磁極部より磁極部数が一つ多い極性Ｎ極の磁極部とを構成した磁石組体を内設したものとする。
【００２２】
ここで例えば、極性Ｎ極の磁極部が一つと極性Ｓ極の磁極部が二つとした磁石組体（仮に、Ｎ１Ｓ２磁石組体という）と、極性Ｓ極の磁極部が一つと極性Ｎ極の磁極部が二つとした磁石組体（仮に、Ｓ１Ｎ２磁石組体という）がそれぞれ多数個にして用意され、この磁石組体を組み入れて留め具本体が多数製造されるものとする。そしてこのようにして内部に磁石組体を入れた留め具本体を対にすることで靴紐連結具が得られる。
【００２３】
しかしながら、組み合わせ前の多数個の留め具本体を取り扱う際、その留め具本体はそれぞれ形状が同一であるので、その形状からでは、Ｎ１Ｓ２磁石組体を有する留め具本体であるか、Ｓ１Ｎ２磁石組体を有する留め具本体であるかは見分けることができないものとなる。
【００２４】
この点に対して請求項２の考案によれば、突き合わせ配置する際に装飾面部が互いに非線対称となる二つの留め具本体を集めることで、第一留め具本体と第二留め具本体とがペアとして揃うことになり、多数個の留め具本体から、組とすべき第一留め具本体と第二留め具本体との選び出しが頗る簡単になるという効果を奏する。
【００２５】
（請求項３の考案の効果）
同様に請求項３の考案によれば、突き合わせ配置する際に装飾面部が互いに非点対称となる二つの留め具本体を集めることで、第一留め具本体と第二留め具本体とがペアとして揃うことになり、多数個の留め具本体から、組とすべき第一留め具本体と第二留め具本体との選び出しが頗る簡単になるという効果を奏する。
【図面の簡単な説明】
【００２６】
【図１】本考案に係る靴紐連結具の実施の形態を表面側から見た状態で示す説明図である。
【図２】実施の形態を表側から見た平面を示す説明図である。
【図３】実施の形態を裏側から見た平面を示す説明図である。
【図４】実施の形態における留め具本体の磁極を示す説明図である。
【考案を実施するための形態】
【００２７】
つぎに本考案を図１から図４に示す実施の形態に基づいて詳細に説明する。図中１は靴紐連結具で、図１に示すように該靴紐連結具１は、それぞれ略板状とされた第一留め具本体２と第二留め具本体３とを組にして並べ設けてなるものであり、第一留め具本体２の突き合わせ面４と第二留め具本体３の突き合わせ面５とを突き合わせて分離可能に連結されている。
【００２８】
第一留め具本体２と第二留め具本体３とは同一の形状であり、この第一留め具本体２と第二留め具本体３とを連結させた靴紐連結具１は、突き合わせ面４と突き合わせ面５とを相対させてなる突き合わせ境界部６を中心線（対称軸）として左右対称の形状である。即ち、靴紐連結具１の平面の形状が前記突き合わせ境界部６を対称軸として線対称図形となるものである。
【００２９】
第一留め具本体２と第二留め具本体３とにおいて、突き合わせ面４、５とは反対となる辺側の表面を、それぞれの裏面側に向けて緩やかに下り傾斜した斜面にしている。また突き合わせ面４、５とは反対となる辺の形状を波形にしていて、靴紐連結具１の幅方向での外方に向けて突出した形状部分に靴紐通し孔７が透孔として設けられている。この実施の形態での第一留め具本体２と第二留め具本体３において、突出した形状部分は三か所であり、三つの靴紐通し孔７を上記突き合わせ境界部６に沿った方向に等間隔にして備えている。
【００３０】
（磁石組体）
第一留め具本体２と第二留め具本体３とはが磁着により突き合わせ状態で分離可能に連結されていて、第一留め具本体２での突き合わせ面４側となるように、また第二留め具本体３での突き合わせ面５側となるようにそれぞれの留め具本体の内部に磁石組体８が内設されている。
【００３１】
図４は第一留め具本体２と第二留め具本体３とに内設された磁石組体８を示している。磁石組体８は、突き合わせ面４、５の長手方向に沿って複数の磁極部９を並べて、隣り合う磁極部９の極性が異なる配置となるように複数個の磁石を組み合わせて形成されている。そして磁石組体８の端部（突き合わせ境界部６の長手方向での端部）において突き合わせ面４、５側での磁極部９は、一個の磁石の一つの磁極（一方の磁極）からなるものとして形成されており、前記端部の磁極部９を除いた突き合わせ面４、５側での磁極部９については、極性が同極である磁極を隣り合わせるように複数の磁石を配置して形成されている。
【００３２】
例えば、第一留め具本体２に内設された磁石組体８は、両端部の磁極部９を一つのＳ極から形成し、端部の磁極部９以外については、三つのＮ極の磁極を隣り合わせてなる極性Ｎ極の磁極部９と、三つのＳ極を隣り合わせてなる極性Ｓ極の磁極部９とを交互に配置させている。
【００３３】
他方の第二留め具本体３に内設された磁石組体８では、図示されているように端部の磁極部９それぞれを一つのＮ極から形成し、端部の磁極部９以外については、三つのＳ極の磁極を隣り合わせてなる極性Ｓ極の磁極部９と、三つのＮ極を隣り合わせてなる極性Ｎ極の磁極部９とを交互に配置させている。
【００３４】
そして実施の形態の靴紐連結具１では突き合わせ面４、５側に位置する磁極部９の数を奇数にしており、突き合わせ境界部６において異極の磁極部９が相対することで、第一留め具本体２と第二留め具本体３とが上述したように磁着により突き合わせ状態で分離可能に連結されている。なお、図において１０は受け板であり、磁束の通り易い板材からなるものである。
【００３５】
（装飾面部）
実施の形態での靴紐連結具１は、第一留め具本体２の表面における平坦面が装飾面部１１とされ、同じく第二留め具本体３の表面における平坦面も装飾面部１２とされている。そして、第一留め具本体２の突き合わせ面４と第二留め具本体３の突き合わせ面５とが磁着により突き合わせ状態にして第一留め具本体２と第二留め具本体３とが分離可能に連結されているときには、装飾面部１１と装飾面部１２とが面一にして並んでいる。
【００３６】
そして第二留め具本体３側に臨む７か所の磁極部９の極性の並びをＳＮＳＮＳＮＳとしている第一留め具本体２の装飾面部１１には、図１、図２に示すように丸マーク（●）を印刷して目視できる装飾１１ａが設けられている。また第一留め具本体２側に臨む７か所の磁極部９の極性の並びをＮＳＮＳＮＳＮとしている第二留め具本体３の装飾面部１２に、ダイヤマーク（◆）を印刷して目視できる装飾１２ａが設けられている。
【００３７】
上述したように第一留め具本体２では突き合わせ面４での磁極部９の極性の並びをＳＮＳＮＳＮＳとし、第二留め具本体３では突き合わせ面５での磁極部９の極性の並びをＮＳＮＳＮＳＮとしていることから、留め具本体２、３それぞれの中央の磁極部９が相対した部分を回転軸として一方の留め具本体が表裏反転し、この一方が表裏反転した状態で第一留め具本体２と第二留め具本体３とが連結される可能性がある。
【００３８】
しかしながら、上記両留め具本体２、３の表面に装飾面部１１、１２が設けられ、さらに両留め具本体２，３の裏面は非装飾の無地とされていることから、一方の留め具本体が表裏反転して非装飾の裏面が表れた突き合わせ状態であれば、連結の仕方が誤っていることが簡単に分かることとなる。
【００３９】
（非線対称）
上記装飾面部１１（第一留め具本体２）に、二つ丸マーク（●）の装飾１１ａを配し、装飾面部１２（第二留め具本体３）に、二つのダイヤマーク（◆）の装飾１２ａを配していて、装飾１１ａと装飾１２ａとはデザインが相違していることから、装飾面部１１と装飾面部１２とは非同一である。そのため、第一留め具本体２と第二留め具本体３とを連結してなる靴紐連結具１において、装飾面部１１と装飾面部１２とは、上記突き合わせ境界部６を中心線６ａとして、互いに非線対称である。（図２参照）
【００４０】
このように適正に対となる第一留め具本体２と第二留め具本体３とでは、装飾面部１１と装飾面部１２とが、突き合わせ境界部６を間にして互いに非線対称となるため、多数個の留め具本体から適正な組み合わせを選び出して靴紐連結具１を形成するに際し、二つの装飾面部が突き合わせ時に互いに非線対称となる組み合わせを選び出すだけで、適正な組み合わせとされた靴紐連結具１が形成できる。
【００４１】
逆に二つの装飾面部が互いに線対称となるものである場合は、二つの留め具本体をつぎの通り不適切に組み合わせを選び出したこととなる。例えば、丸マーク（●）の装飾１１ａを配した装飾面部１１をそれぞれ備えた二つの留め具本体（第一留め具本体２）を選び出す場合、磁極部９の並びがＳＮＳＮＳＮＳの突き合わせ面と磁極部９の並びが同一のＳＮＳＮＳＮＳの突き合わせ面とを相対させようとすることとなり、適正な突き合わせ状態の連結が行われないものとなる。
【００４２】
（非点対称）
また実施の形態では、装飾面部１１と装飾面部１２とは非同一であることから、第一留め具本体２と第二留め具本体３とを連結してなる靴紐連結具１では、装飾面部１１と装飾面部１２とは、突き合わせ境界部６の中央を中心点６ｂとして、互いに非点対称とされている。（図２参照）
【００４３】
適正に対となる第一留め具本体２と第二留め具本体３とで、装飾面部１１と装飾面部１２とが、突き合わせ境界部６の中央を中心点６ｂとして、互いに非点対称となることで、やはり非線対称である場合と同じ有用な点を有するものであって、多数個の留め具本体から適正な組み合わせを選び出して靴紐連結具１を形成するに際し、二つの装飾面部が突き合わせ時に互いに非点対称となる組み合わせを選び出すだけで、適正な組み合わせとされた靴紐連結具１が形成できるものである。
【００４４】
即ち、二つの留め具本体を選び出すときに、誤って磁極部の磁極配列が同じである二つの留め具本体を選び出して組み合わせようとすると、一方の留め具本体の装飾面部は他方の留め具本体の装飾面部に対して点対称のものとなり、磁極が同じ並びの突き合わせ面を相対させようとすることになる。このように点対称の関係となるか、非点対称の関係となるかは一目で判断できるので、二つの留め具本体を適正な組み合わせにして選べ出しことがすこぶる簡単である。
【符号の説明】
【００４５】
１…靴紐連結具
２…第一留め具本体
３…第二留め具本体
４、５…突き合わせ面
６…突き合わせ境界部
６ａ…中心線
６ｂ…中心点
７…靴紐通し孔
８…磁石組体
９…磁極部
１０…受け板
１１、１２…装飾面部
１１ａ、１２ａ…装飾
【図１】
0003207412.tif 000003
【図２】
0003207412.tif 000004
【図３】
0003207412.tif 000005
【図４】
0003207412.tif 000006